(57)【特許請求の範囲】
【請求項１】
階段の開放側面において手摺本体を支持する階段用手摺の支持部材であって、
設置面に立設される柱本体と、
前記柱本体の上側部に軸心に沿って配置される上側心材とを備え、
前記柱本体が、分割可能な複数の縦割り柱片によって構成され、その複数の縦割り柱片が前記上側心材を取り囲んだ状態に固定されるとともに、
前記上側心材が前記柱本体の上端面よりも上方に配置されて前記手摺本体に固定可能に構成され、
前記上側心材が前記柱本体に対し上下方向にスライド自在にかつ任意のスライド位置で固定可能に構成されていることを特徴とする階段用手摺の支持部材。
【請求項２】
階段の開放側面において手摺本体を支持する階段用手摺の支持部材であって、
設置面に立設される柱本体と、
前記柱本体の上側部に軸心に沿って配置される上側心材と、
前記上側心材に対し別体に形成され、かつ前記柱本体の下側部に軸心に沿って配置される下側心材とを備え、
前記柱本体が、分割可能な複数の縦割り柱片によって構成され、その複数の縦割り柱片が前記上側心材および前記下側心材を取り囲んだ状態に固定され、
前記上側心材が前記柱本体の上端面よりも上方に配置されて前記手摺本体に固定可能に構成されるとともに、
前記下側心材の下端に設けられたベース板が前記柱本体の下端面よりも下方に配置されて前記設置面に固定可能に構成されていることを特徴とする階段用手摺の支持部材。
【請求項３】
前記複数の縦割り柱片のうちいずれかの縦割り柱片の下側部が、いずれかの段板の先端面に対応して配置される一方、
ビスが前記いずれかの縦割り柱片に挿通されて前記段板の先端面にビス止め固定可能に構成されている請求項２に記載の階段用手摺の支持部材。
【請求項４】
前記ベース板は前記柱本体の下端面に適合する形状に形成され、
階段を下る方向を前方としたとき、前記ベース板における前側の部分に、設置面対応ビス孔が形成されて、ビスがそのビス孔に挿通されて設置面にビス止め固定可能に構成されている請求項２または３に記載の階段用手摺の支持部材。
【請求項５】
前記複数の縦割り柱片が一対の縦割り半柱体によって構成されている請求項１〜４のいずれか１項に記載の階段用手摺の支持部材。
【請求項６】
前記柱片が複数の部材が組み合わされて構成されている請求項１〜５のいずれか１項に記載の階段用手摺の支持部材。
【請求項７】
階段の開放側面に立設される支持部材と、前記支持部材の上端に固定される手摺本体とを備えた階段用手摺であって、
前記支持部材が請求項１〜６のいずれか１項に記載の支持部材によって構成されていることを特徴とする階段用手摺。
【請求項８】
複数の段板が上下方向および水平方向に間隔をおいて並んで配置される階段と、前記階段の開放側面に配置される手摺とを備えた階段構造であって、
前記手摺は、前記階段の開放側面に立設され、かつ階段に沿って間隔をおいて複数配置される支持部材と、前記複数の支持部材の上端に掛け渡されるように固定される手摺本体とを備え、
前記複数の支持部材のうち少なくとも１つ以上の支持部材が請求項１〜６のいずれか１項に記載の支持部材によって構成されていることを特徴とする階段構造。
【発明の詳細な説明】
【技術分野】
【０００１】
この発明は、例えば一般住宅等の木質製屋内階段に設けられる階段用手摺の親柱や手摺子等の支柱部材およびその関連技術に関する。
【背景技術】
【０００２】
一般住宅等の木質製屋内階段として片面または両側面が開放されたオープン階段が周知である。オープン階段の開放側面には手摺（オープン手摺）が取り付けられる。例えば特許文献１に示すようにオープン手摺は、階段の開放側面の所要位置に親柱が立設されるとともに、親柱の各間に所定間隔おきに複数の手摺子が立設される。そして手摺本体（笠木）が親柱および手摺子の上端部に架け渡されるように固定されている。
【先行技術文献】
【特許文献】
【０００３】
【特許文献１】特許第２７０８２０８号
【発明の概要】
【発明が解決しようとする課題】
【０００４】
ところで特許文献１に示すようなオープン手摺においては当然のことながら、親柱や手摺子等の支持部材における階段や床面等の設置面に対する取付強度を十分に確保する必要があるとともに、手摺本体に対する取付強度も十分に確保する必要がある。また手摺に限られることではないが、一般の建築の技術分野全般において現場での組付作業性の向上等も常に求められる。
【０００５】
その一方で、ユーザーによってオープン手摺に関して意匠性にも様々な要望があり、この要望に答えることも重要である。
【０００６】
この発明は、上記の課題に鑑みてなされたものであり、設置面または手摺本体に対する取付強度を十分に確保しつつ、美観および組付作業性を向上させることができる階段用手摺の支持部材およびその関連技術を提供することを目的とする。
【課題を解決するための手段】
【０００７】
上記課題を解決するため、本発明は、以下の手段を備えるものである。
【０００８】
［１］階段の開放側面において手摺本体を支持する階段用手摺の支持部材であって、
設置面に立設される柱本体と、
前記柱本体の上側部に軸心に沿って配置される上側心材とを備え、
前記柱本体が、分割可能な複数の縦割り柱片によって構成され、その複数の縦割り柱片が前記上側心材を取り囲んだ状態に固定されるとともに、
前記上側心材が前記柱本体の上端面よりも上方に配置されて前記手摺本体に固定可能に構成されていることを特徴とする階段用手摺の支持部材。
【０００９】
［２］階段の開放側面において手摺本体を支持する階段用手摺の支持部材であって、
設置面に立設される柱本体と、
前記柱本体の上側部に軸心に沿って配置される上側心材と、
前記上側心材に対し別体に形成され、かつ前記柱本体の下側部に軸心に沿って配置される下側心材とを備え、
前記柱本体が、分割可能な複数の縦割り柱片によって構成され、その複数の縦割り柱片が前記上側心材および前記下側心材を取り囲んだ状態に固定され、
前記上側心材が前記柱本体の上端面よりも上方に配置されて前記手摺本体に固定可能に構成されるとともに、
前記下側心材の下端に設けられたベース板が前記柱本体の下端面よりも下方に配置されて前記設置面に固定可能に構成されていることを特徴とする階段用手摺の支持部材。
【００１０】
［３］階段の開放側面において手摺本体を支持する階段用手摺の支持部材であって、
設置面に立設される柱本体と、
前記柱本体の下側部に軸心に沿って配置される下側心材とを備え、
前記柱本体が、分割可能な複数の縦割り柱片によって構成され、その複数の縦割り柱片が前記下側心材を取り囲んだ状態に固定され、
前記下側心材の下端に設けられたベース板が前記柱本体の下端面よりも下方に配置されて前記設置面に固定可能に構成されていることを特徴とする階段用手摺の支持部材。
【００１１】
［４］階段の開放側面において手摺本体を支持する階段用手摺の支持部材であって、
設置面に立設される柱本体と、
前記柱本体に軸心に沿って連続して配置される心材とを備え、
前記柱本体が、分割可能な複数の縦割り柱片によって構成され、その複数の縦割り柱片が前記心材を取り囲んだ状態に固定され、
前記心材の上端部が前記柱本体の上端面よりも上方に配置されて前記手摺本体に固定可能に構成されるとともに、
前記心材の下端に設けられたベース板が前記柱本体の下端面よりも下方に配置されて前記設置面に固定可能に構成されていることを特徴とする階段用手摺の支持部材。
【００１２】
［５］前記上側心材が前記柱本体に対し上下方向にスライド自在にかつ任意のスライド位置で固定可能に構成されている前項１または２に記載の階段用手摺の支持部材。
【００１３】
［６］前記複数の縦割り柱片のうちいずれかの縦割り柱片の下側部が、いずれかの段板の先端面に対応して配置される一方、
ビスが前記いずれかの縦割り柱片に挿通されて前記段板の先端面にビス止め固定可能に構成されている前項２または３に記載の階段用手摺の支持部材。
【００１４】
［７］前記ベース板は前記柱本体の下端面に適合する形状に形成され、
階段を下る方向を前方としたとき、前記ベース板における前側の部分に、設置面対応ビス孔が形成されて、ビスがそのビス孔に挿通されて設置面にビス止め固定可能に構成されている前項２〜４，６のいずれか１項に記載の階段用手摺の支持部材。
【００１５】
［８］前記複数の縦割り柱片が一対の縦割り半柱体によって構成されている前項１〜７のいずれか１項に記載の階段用手摺部材。
【００１６】
［９］前記柱片が複数の部材が組み合わされて構成されている前項１〜８のいずれか１項に記載の階段用手摺部材。
【００１７】
［１０］階段の開放側面に立設される支持部材と、前記支持部材の上端に固定される手摺本体とを備えた階段用手摺であって、
前記支持部材が前項１〜９のいずれか１項に記載の支持部材によって構成されていることを特徴とする階段用手摺。
【００１８】
［１１］複数の段板が上下方向および水平方向に間隔をおいて並んで配置される階段と、前記階段の開放側面に配置される手摺とを備えた階段構造であって、
前記手摺は、前記階段の開放側面に立設され、かつ階段に沿って間隔をおいて複数配置される支持部材と、前記複数の支持部材の上端に掛け渡されるように固定される手摺本体とを備え、
前記複数の支持部材のうち少なくとも１つ以上の支持部材が前項１〜９のいずれか１項に記載の支持部材によって構成されていることを特徴とする階段構造。
【発明の効果】
【００１９】
発明［１］〜［４］の階段用手摺の支持部材によれば、心材を複数の縦割り柱片によって取り囲んで形成しているため、組み付けられた複数の縦割り柱片によって構成される柱本体が、重厚感および高級感のある外観となり美観を向上させることができる。さらに心材を一対の縦割り半柱体１によって取り囲んで組み立てるものであるため、心材を柱本体に正確かつ簡単に組み込むことができ、組付作業を効率良く簡単に行うことができる。また心材を手摺本体および／または設置面に固定するものであるため、手摺本体および／または設置面に対する取付強度を十分に確保することができる。
【００２０】
発明［５］によれば、上側心材の高さを自在に調整できるため、上側心材を手摺本体により一層安定した状態に固定することができる。
【００２１】
発明［６］によれば、下側心材を、対応する段板の先端面にビス止め固定することができるため、支持部材をより一層安定した状態で固定することができる。
【００２２】
発明［７］によれば、心材に後側の縦割り柱片を仮組した状態で、ビスによってベース板を設置面に確実に固定することができるため、後側の縦割り柱片の位置合わせ等を正確に行うことができ、より一層組付作業を効率良く行うことができる。
【００２３】
発明［８］の階段用手摺の支持部材によれば、複数の縦割り柱片（柱本体）を一対の縦割り半柱体によって構成しているため、心材を一対の縦割り半柱体によって挟み込むように固定するだけで簡単に組み付けることができる。
【００２４】
発明［８］［９］の階段用手摺の支持部材によれば、柱本体を構成する部材を様々な形状に構成することができるため、汎用性を向上させることができる。
【００２５】
発明［１０］によれば、上記と同様の効果を奏する階段用手摺を提供することができる。
【００２６】
発明［１１］によれば、上記と同様の効果を奏する階段構造を提供することができる。
【図面の簡単な説明】
【００２７】
【図１】図１はこの発明の実施形態である階段用手摺が適用された屋内の階段構造周辺を示す平面図である。
【図２】図２は実施形態の階段用手摺におけるスタート用親柱周辺を示す側面図である。
【図３】図３は実施形態のスタート用親柱を分解して示す斜視図である。
【図４Ａ】図４Ａは実施形態のスタート用親柱の組付手順を示す側面図である。
【図４Ｂ】図４Ｂは実施形態のスタート用親柱の組付手順を示す側面図である。
【図４Ｃ】図４Ｃは実施形態のスタート用親柱の組付手順を示す側面図である。
【図５】図５は実施形態の階段用手摺に適用されたスタート用手摺子周辺を示す側面図である。
【図６】図６は実施形態のスタート用手摺子を分解して示す斜視図である。
【図７Ａ】図７Ａは実施形態のスタート用手摺子の組付手順を示す斜視図である。
【図７Ｂ】図７Ｂは実施形態のスタート用手摺子の組付手順を示す斜視図である。
【図７Ｃ】図７Ｃは実施形態のスタート用手摺子の組付状態を示す斜視図である。
【図８】図８は実施形態の階段用手摺に適用された中間用親柱周辺を示す側面図である。
【図９】図９は実施形態の中間用親柱を分解して示す斜視図である。
【図１０Ａ】図１０Ａは実施形態の中間用親柱の組付手順を示す斜視図である。
【図１０Ｂ】図１０Ｂは実施形態の中間用親柱の組付手順を示す斜視図である。
【図１０Ｃ】図１０Ｃは実施形態の中間用親柱の組付手順を示す斜視図である。
【発明を実施するための形態】
【００２８】
図１はこの発明の実施形態である階段用手摺が適用された屋内の階段構造周辺を示す平面図である。同図に示すようにこの階段構造は、階下フロアＦ１と、階上フロア（踊り場、中２階等の水平部を含む）Ｆ２との間に組み付けられている。この階段構造において、利用者が降りる方向を前方として、階段の右側（一方側）は最下段から最上段までの全域が開放されてその開放側面に階段用手摺１が取り付けられている。一方、階段の左側（他方側）は、１段目〜４段目の部分が開放されるとともに、５段目以上の部分は閉塞されており、１段目〜４段目の開放側面だけに階段用手摺１が取り付けられている。また本実施形態の階段構造が適用される屋内構造は、階下フロアＦ１および階上フロアＦ２が吹き抜け構造となっており、階上フロアＦ２の開放側面にも水平手摺１ａが取り付けられている。
【００２９】
なお本実施形態において、階段構造と言う場合、階段用手摺１を含むものであり、単に階段または階段本体と言う場合、階段用手摺１を含まないものである。
【００３０】
本実施形態において、階段は上下方向および左右方向に所定間隔おきに並んで配置された複数の段板９を備えている。なお本実施形態において隣合う段板９，９において上側の段板９の前端部下面から下側の段板９の後端部上面にかけて蹴込板がそれぞれ取り付けられている。
【００３１】
本実施形態において手摺１は、手摺本体２と、支持部材３〜６とを備えている。支持部材３〜６は、４種類存在し、図１および図２に示すように階段構造の下端位置に配置されるスタート（エンド）用親柱３と、図１および図８に示すように手摺中間位置における階段構造の上端位置等に配置される中間用親柱４と、図１および図５に示すように階段構造の途中の手摺端部に配置されるスタート（エンド）用手摺子５と、図１および図２に示すようにそれら以外の手摺中間部に配置される中間用手摺子６とを備えている。
【００３２】
図２および図５等に示すように中間用手摺子６は、帯状の金属板が加工された枠状部材によって構成されている。この中間手摺子６の下枠部には、水平に配置される水平部６１が形成されている。さらに中間手摺子６の後枠の上端は上方に延長されて手摺本体支持部６２が形成されている。
【００３３】
この中間用手摺子６の水平部６１が階段の段板９の上面にビス止めによって固定される。こうして階段の開放側面の所定位置に手摺子６が複数組み付けられる。
【００３４】
図２〜図４Ｃに示すようにスタート用親柱３は、木質製の柱本体３１と、金属製の上側心材３２と、金属製の下側心材３３とを備えている。柱本体３１は、平面視形状が左右方向に長い略矩形状に形成された四角柱形状を有している。この柱本体３１は、分割可能な前後一対の縦割り半柱体３１１，３１１によって構成されている。各縦割り半柱体３１１，３１１の対向面（内面）における上側部には軸心に沿って上下方向に延び、かつ上端が上方に開放された上側溝３１２，３１２がそれぞれ形成されている。各上側溝３１２，３１２は浅底のコ字状断面を有しており、両溝３１２，３１２を合致させることによって、柱本体３１の軸心に沿って延びる帯板状の中空部が形成されるようになっている。
【００３５】
また各縦割り半柱体３１１，３１１の対向面（内面）における下側部には軸心に沿って延び、上端が上記上側溝３１２，３１２に連通し、かつ下端が下方に開放された下側溝３１３，３１３がそれぞれ形成されている。各下側溝３１３，３１３は深底のコ字状断面を有しており、両溝３１３，３１３を合致させることによって、柱本体３１の軸心に沿って延びる角柱形状の中空部が形成されるように構成されている。
【００３６】
また各縦割り半柱体３１１，３１１の対向面（内面）における上端部、中間部および下端部の両側に断面円形のダボ孔３１４がそれぞれ形成されている。
【００３７】
本実施形態において、一対の縦割り半柱体３１１，３１１は互いに面対称の形状であり同一の形状を有している。
【００３８】
本実施形態においては縦割り半柱体３１１の材料として集成材が用いられている。言うまでもなく、縦割り半柱体３１１の材料は、木質製のものや、木質感のあるもの（人工木材も含む）等、木質系の材料であれば特に限定されず、どのようなものでも用いることができる。集成材以外には、例えば積層材、無垢材等も好適に使用することができる。もっとも、質感、意匠性、経済性等を考慮すれば本実施形態のように集成材を用いるのがより好ましい。
【００３９】
なお以下に説明する中間用親柱４やスタート用手摺子５の縦割り半柱体４１１，５１１の材料も、上記スタート用親柱３の縦割り半柱体３の材料と同様なものを用いることができる。
【００４０】
上側心材３２は帯板形状を有しており、縦割り半柱体３１１の上側溝３１２に軸心方向（上下方向）に沿ってスライド自在に設置できるようになっている。そして上側心材３２を、一対の縦割り半柱体３１１，３１１の上側溝３１２，３１２に設置するようにして一対の縦割り半柱体３１１，３１１によって挟み込むことにより、上側心材３２が、一対の縦割り半柱体３１１，３１１によって構成される柱本体３１の上部において軸心に沿って配置されるようになっている。
【００４１】
さらに上側心材３２の下側部には長さ方向に所定間隔おきに３つのビス孔３２１（図３参照）が形成されており、各ビス孔３２１にビス３５を挿入して縦割り半柱体３１１にねじ込むことによって、上側心材３２を縦割り半柱体３１１に固定できるようになっている。なお本実施形態においては、上側心材３２は一対の縦割り半柱体３１１，３１１のうち後側の縦割り半柱体３１１に固定されるものである。
【００４２】
こうして上側心材３２が縦割り半柱体３１１（柱本体３１）に対し上下方向にスライド自在にかつ任意のスライド位置で固定可能に構成されている。
【００４３】
図３に示すように上側心材３２の上端には、上側心材３２よりも板厚が薄い取付板３７の下側部が固定されている。この取付板３７の上側部は下側部に対して折り曲げられて、取付予定の手摺本体２の組付角度に対応するようになっている。この取付板３７は、上側心材３２に比べて薄く弾力性も大きくなっており、後述するように取付板３７の上側部を手摺本体２にビス止めによって固定した際には組付誤差を吸収するように弾性変形して手摺本体２の取付面（下面）に隙間なく適合するようになっている。
【００４４】
なお図示は省略するが、上記中間用手摺子６における手摺本体支持部６２の上端にも、上側心材３２の取付板３７と同様な取付板が固定されている。
【００４５】
下側心材３３は溝型形状を有しており、縦割り半柱体３１１の下側溝３１３に設置できるようになっている。そして下側心材３３を、一対の縦割り半柱体３１１，３１１の下側溝３１３，３１３に設置するようにして一対の縦割り半柱体３１１，３１１によって挟み込むことにより、下側心材３３が、一対の縦割り半柱体３１１，３１１によって構成される柱本体３１の下部において軸心に沿って配置されるようになっている。
【００４６】
また下側心材３３の底壁には、上下２箇所にビス孔３３１，３３１（図３参照）が形成されており、各ビス孔３３１，３３１にビス３５を挿入して縦割り半柱体３１１にねじ込むことによって、下側心材３３を縦割り半柱体３１１に固定できるように構成されている。なお本実施形態においては、下側心材３３は上記上側心材３２と同様、一対の縦割り半柱体３１１，３１１のうち後側の縦割り半柱体３１１に固定されるものである。
【００４７】
また下側心材３３の底壁の中間部には、軸心方向（上下方向）に長い長孔３３２（図３参照）が形成されている。この長孔３３２は段鼻対応ビス孔を構成するものであり、下側心材３３および縦割り半柱体３１１（柱本体３１）を階段の段板９における段鼻の先端面にビス止めによって固定するためのものである。
【００４８】
下側心材３３の下端にはベース板３４が固定されている。このベース板３４は柱本体３１の下端面の形状に対応して形成されており、柱本体３１に下側心材３３が組み込まれた状態では、ベース板３４が柱本体３１の下端面に沿うように配置されて、ベース板３４の外周縁が柱本体３３の下端外周縁にほぼ一致するようになっている。さらにベース板３４の前半部に、つまり一対の縦割り半柱体３１１，３１１のうち前側の縦割り半柱体３１１に対応する部分に、設置面対応ビス孔としての複数のビス孔３４１（図３参照）が形成されている。なおベース板３４の後半部には、つまり後側の縦割り半柱体３１１に対応する部分にはビス孔が形成されていない。
【００４９】
以上の構成のスタート用親柱３は、階段の下端位置に組み付けられる。すなわち一対の縦割り半柱体３１１，３１１のうち後側の縦割り半柱体３１１の下側溝３１３に嵌め込んで、下側心材３３のビス孔３３１にビス３５を挿入して縦割り半柱体３１１にねじ込み、下側心材３３を縦割り半柱体３１１に組み付ける。
【００５０】
次に下側心材３３のベース板３４を階下フロアＦ１に設置しつつ、後側の縦割り半柱体３１１の背面を階段の１段目の段板９の先端面に沿わせるように配置する。
【００５１】
続いて下側心材３３の長孔３３２にビス３５を挿入して縦割り半柱体３１１を貫通させて段板９の先端面にねじ込んで固定する。さらにベース板３４のビス孔３４１にビス３５を挿入して階下フロアＦ１にねじ込んで固定する。これにより後側の縦割り半柱体３１１および下側心材３３を階下フロアＦ１および階段（段板）に固定する。
【００５２】
次に上側心材３２を後側の縦割り半柱体３１１の上側溝３１２に嵌め込んで、上側心材３２を上下にスライドさせて高さ位置（突出量）を調整する。こうしてスタート用親柱３の高さを調整した後、上側心材３２のビス孔３２１にビス３５を挿入して後側の縦割り半柱体３１１にねじ込んで固定する。なお必要に応じて、中間用手摺子６を先に階段に組み付けて、その手摺子６に手摺本体２を仮止めしておいて、スタート用親柱３を組み付けるようにすれば、スタート用親柱３の高さ調整をスムーズに行うことができる。
【００５３】
次に後側の縦割り半柱体３１１に前側の縦割り半柱体３１１を固定する。すなわち両縦割り半柱体３１１，３１１の各ダボ孔３１４内に接着剤を塗布して、一方の縦割り半柱体３１１の各ダボ孔３１４内にダボ３６の一方側半分を嵌め込んで固定する。続いて一対の縦割り半柱体３１１，３１１を重ね合わせて、各ダボ３６の他方側半分を他方側の縦割り半柱体３１１の各ダボ孔３１４内に嵌め込んで固定する。これによりダボ３６を介して両縦割り半柱体３１１，３１１を接着固定し、心材３２，３３を一対の縦割り半柱体３１１，３１１によって挟み込んだ状態に保持する。こうしてスタート用親柱３が階段に組み付けられる。
【００５４】
なお本実施形態では、一対の縦割り半柱体３１１，３１１をダボ３６を介して接着固定するようにしているが、言うまでもなく本発明においてこの固定手段は限定されるものではない。例えばダボ３６を使用せずに、両縦割り半柱体３１１，３１１を接着剤で固定するようにしても良いし、ビスや釘等で固定するようにしても良い。さらに接着剤とビス等とを併用する、いわゆるのり釘併用で固定するようにしても良い。
【００５５】
図５〜図７Ｃに示すようにスタート用手摺子５は、金属製の枠状材５０と、木質製の柱本体５１とを備えている。
【００５６】
柱本体５１は、平面視形状が左右方向に長い略矩形状に形成された四角柱形状を有している。この柱本体５１は、分割可能な前後一対の縦割り半柱体５１１，５１１によって構成されている。各縦割り半柱体５１１，５１１の対向面（内面）には軸心に沿って上下方向に延びて、上下両端が上下方向にそれぞれ開放された心材設置溝５１２，５１２がそれぞれ形成されている。各心材設置溝５１２，５１２は浅底のコ字状断面を有しており、両溝５１２，５１２を合致させることによって、柱本体５１の軸心に沿って延びる帯板状の中空部が形成されるようになっている。
【００５７】
また各縦割り半柱体５１１，５１１の対向面（内面）における上端部および下端部の両側に断面円形のダボ孔５１４がそれぞれ形成されている。
【００５８】
なお本実施形態において、一対の縦割り半柱体５１１，５１１は互いに面対称の形状であり同一の形状を有している。
【００５９】
枠状材５０は、金属製の心材５２と、この心材５２と一体に形成された金属製の補助材５３とを備えている。
【００６０】
心材５２は帯板形状を有しており、縦割り半柱体５１１の心材設置溝５１２に設置できるようになっている。
【００６１】
心材５２の上端には、上記スタート用親柱３における上側心材３２の上端に固定された取付板３７と同様な取付板５７が固定されている。
【００６２】
さらに心材５２の下端部には、軸心方向（上下方向）に長い長孔５２１が形成されている。この長孔５２１は段鼻対応ビス孔を構成するものであり、心材５２および縦割り半柱体５１１を階段の段板９の先端面にビス止めによって固定するためのものである。
【００６３】
また心材５２の下端にはベース板５４が固定されている。このベース板５４は柱本体５１の下端面の形状に対応して形成されており、柱本体５１に心材５２が組み込まれた状態では、ベース板５４が柱本体５１の下端面に沿うように配置されて、ベース板５４の外周縁が柱本体５１の下端外周縁にほぼ一致するようになっている。さらにベース板５４の前半部に、つまり一対の縦割り半柱体５１１，５１１のうち前側の縦割り半柱体５１１に対応する部分に、設置面対応ビス孔としての複数のビス孔５４１が形成されている。なおベース板５４の後半部には、つまり後側の縦割り半柱体５１１に対応する部分にはビス孔が形成されていない。
【００６４】
枠状材５０の補助材５３は、上端部が後方に屈曲形成されてその屈曲片の先端（後端）が心材５２の上側部に一体に連結されている。さらに補助材５３の下端部は、後方に屈曲形成されて水平に配置される水平片５３０が形成されて、その水平片５３０の先端（後端）が心材５２のベース板５４の前端縁に一体に連結されている。また補助材５３の下端水平片５３０にはビス孔５３１が形成されている。
【００６５】
この枠状材５０における心材５２を一対の縦割り半柱体５１１，５１１の心材設置溝５１２，５１２に設置するようにして一対の縦割り半柱体５１１，５１１によって挟み込むことにより、心材５２が、一対の縦割り半柱体５１１，５１１によって構成される柱本体５１の軸心に沿って配置されるとともに、補助材５３が柱本体５１の前方に配置されるようになっている。
【００６６】
以上の構成のスタート用手摺子５は、既述したように階段途中の手摺端部に配置されるように組み付けられる。すなわち一対の縦割り半柱体５１１，５１１のうち後側の縦割り半柱体５１１の心材設置溝５１２に枠状材５０の心材５２を嵌め込んで仮組みし、その仮組品のベース板５４を設置予定の段板９上に設置しつつ、縦割り半柱体５１１の背面を一つ上の段板９の先端面（前端面）に接触させる。
【００６７】
次に心材５２の長孔５２１にビス５５を挿入して縦割り半柱体５１１を貫通させて段板９の先端面にねじ込んで固定する。さらに枠状材５０におけるベース板５４のビス孔５４１および水平片５３０のビス孔５３１にビス５５をそれぞれ挿入して段板９にねじ込んで固定する。なお水平片５３０の上面には、ビス孔５３１およびビス５５を隠蔽するための化粧シート５３５（図７Ｂおよび図７Ｃ参照）が貼着される。
【００６８】
次に一対の縦割り半柱体５１１，５１１の各ダボ孔５１４内に接着剤を塗布して、一方の縦割り半柱体５１１の各ダボ孔５１４にダボ５６の一方側半分を嵌め込んで固定する。続いて一対の縦割り半柱体５１１，５１１を重ね合わせて、各ダボ５６の他方側半分を他方側の縦割り半柱体５１１の各ダボ孔５１４内に嵌め込んで固定する。これによりダボ５６を介して両縦割り半柱体５１１，５１１を接着固定し、心材５２を一対の縦割り半柱体５１１，５１１によって挟み込んだ状態に保持する。こうしてスタート用手摺子５が階段に組み付けられる。
【００６９】
なお一対の縦割り半柱体５１１，５１１を互いに固定する固定手段は、ダボ５６を用いる方法に限定されるものではなく、ダボ方式以外に、上記スタート用親柱３の縦割り半柱体３１１，３１１の固定手段と同様な手段を採用することができる。
【００７０】
図８〜図１０Ｃに示すように中間用親柱４は、木質製の柱本体４１と、金属製の心材４２とを備えている。
【００７１】
柱本体４１は、平面視形状が正方形に形成された四角柱形状を有している。この柱本体４１は、分割可能な前後一対の縦割り半柱体４１１，４１１によって構成されている。各縦割り半柱体４１１，４１１の対向面（内面）には軸心に沿って上下方向に延び、かつ上端および下端が上方および下方に開放された心材設置溝４１２，４１２がそれぞれ形成されている。各心材設置溝４１２，４１２はコ字状断面を有しており、両溝４１２，４１２を合致させることによって、柱本体４１の軸心に沿って延びる角柱形状の中空部が形成されるようになっている。
【００７２】
また各縦割り半柱体４１１，４１１の対向面（内面）における上端部および下端部の両側に断面円形のダボ孔４１４がそれぞれ形成されている。
【００７３】
なお本実施形態において、一対の縦割り半柱体４１１，４１１は互いに面対称の形状であり同一の形状を有している。
【００７４】
心材４２は角筒形状ないし角柱形状を有しており、縦割り半柱体４１１の心材設置溝４１２に設置できるようになっている。そして心材４２を一対の縦割り半柱体４１１，４１１の心材設置溝４１２，４１２に設置するようにして一対の縦割り半柱体４１１，４１１によって挟み込むことにより、心材４２が、一対の縦割り半柱体４１１，４１１によって構成される柱本体４１の軸心に沿って配置されるようになっている。
【００７５】
心材４２の上端には、階上に設置される水平手摺１ａの手摺本体２ａを支持する水平な支持板４７（図１０Ｃ参照）がビス４５によって固定されている。
【００７６】
さらに心材４２の下端にはベース板４４が固定されている。このベース板４４は柱本体４１の下端面の形状に対応して形成されており、柱本体４１に心材４２が組み込まれた状態では、ベース板４４が柱本体４１の下端面に沿うように配置されて、ベース板４４の外周縁が柱本体４１の下端外周縁にほぼ一致するようになっている。さらにベース板４４の四隅には、設置面対応ビス孔としてのビス孔４４１がそれぞれ形成されている。
【００７７】
以上の構成の中間用親柱４は、既述したように階段上端の配置されるように組み付けられる（図１および図８参照）。すなわち心材４２のベース板４４を設置予定の階上フロアＦ２上に設置し、ベース板４４のビス孔４４１にビス４５を挿通して階上フロアＦ２にねじ込んで固定する。
【００７８】
次に一対の縦割り半柱体４１１，４１１の各ダボ孔４１４内に接着剤を塗布して、一方の縦割り半柱体４１１の各ダボ孔４１４にダボ４６の一方側半分を嵌め込んで固定する。続いて一対の縦割り半柱体４１１，４１１によって心材４２を両側から挟み込んで、一方側の縦割り半柱体４１１に嵌め込んだ各ダボ４６の他方側半分を他方側の縦割り半柱体４１１の各ダボ孔４１４内に嵌め込んで固定する。これによりダボ４６を介して両縦割り半柱体４１１，４１１を接着固定し、心材４２を一対の縦割り半柱体４１１，４１１によって挟み込んだ状態に保持する。こうして中間用親柱４が階段に組み付けられる。
【００７９】
なお一対の縦割り半柱体４１１，４１１を互いに固定する固定手段は、ダボ４６を用いる方法に限定されるものではなく、ダボ方式以外に、上記スタート用親柱３の縦割り半柱体３１１，３１１の固定手段と同様な手段を採用することができる。
【００８０】
こうして親柱３，４および手摺子５，６等の支持部材が階段に組み付けられて、これらの支持部材に手摺本体２が組み付けられる。すなわちスタート用親柱３、スタート用手摺子５および中間用手摺子６の上端に架け渡すように手摺本体２が配置されて、スタート用親柱３、スタート用手摺子５および中間用手摺子６の上端に設けられた取付板３７，５７に貫通したビス３５，５５が手摺本体２の下面側にねじ込まれて固定されている。さらに手摺本体２の上端部（中間用親柱４に対応する端部）が、適宜の手段によって中間用親柱４に連結固定されている。
【００８１】
なお本実施形態においては既述した通り、階上フロアＦ２の開放側面に階段用手摺に連続するように水平手摺１ａが組み付けられている。この水平手摺１ａは、所要位置に立設され、かつ上記中間用親柱４と実質的に同様な構成の中間用親柱４ａと、中間用親柱４ａ間に所定間隔おきに立設され、かつ上記中間用手摺子６と実質的に同様な構成の中間用手摺子６ａと、中間用親柱４，４ａおよび中間用手摺子６の上端に架け渡されるように固定され、かつ実質的に上記手摺本体２と同様な構成の手摺本体（笠木）２ａとを備えている。
【００８２】
以上のように本実施形態の階段用手摺によれば、スタート用親柱３が金属製の心材３２，３３を木質系の一対の縦割り半柱体３１１，３１１によって挟み込んで形成されているため、対向合致した一対の縦割り半柱体３１１，３１１によって構成される柱本体３１が、重厚感および高級感のある外観を備え、美観を向上させることができる。さらに柱本体３１は断面が矩形状で非円形であるため、一般形状とは異なる斬新な形状となり、意匠性を向上できて、より一層美観を向上させることができる。
【００８３】
また中間用親柱４およびスタート用手摺子５においても、一対の縦割り半柱体４１１，５１１を対向合致させて柱本体４１，５１を形成するものであるため、上記と同様に良好な美観を得ることができる。
【００８４】
また本実施形態においてスタート用親柱３は、柱本体３１の軸心位置に固定された金属製の上側心材３２を手摺本体２に固定するものであるため、手摺本体２に対する取付強度を十分に確保することができる。さらに柱本体３１の軸心位置に固定された金属製の下側心材３３を階下フロアＦ１等の設置面に固定するものであるため、設置面に対する取付強度も十分に確保することができる。従って手摺を階段に安定した状態に組み付けることができる。特に本実施形態においては、下側心材３３に長孔３３２を形成して、その長孔３３２に通したビス３５を縦割り半柱体３１１に貫通させて段板９の先端面に固定するものであるため、スタート用親柱３における設置面に対する取付強度をより一層向上させることができる。
【００８５】
中間用親柱４およびスタート用手摺子５においても同様に、柱本体４１，５１に固定された金属製の心材４２，５２に手摺本体２および階上フロアＦ２や段板９等の設置面に固定するものであるため、手摺本体２に対する取付強度を十分に確保できるとともに、設置面に対する取付強度も十分に確保でき、手摺を階段に安定した状態で組み付けることができる。さらにスタート用手摺子５は心材５２をビス５５によって段板９の先端面に固定するものであるため、上記スタート用親柱３と同様、設置面に対する取付強度をより一層向上させることができる。
【００８６】
また本実施形態においてスタート用親柱３は、心材３２，３３を一対の縦割り半柱体３１１，３１１によって挟み込んで組み立てるものであるため、心材３２，３３を柱本体３１の所定位置に正確かつ簡単に組み込むことができ、組付作業を効率良く簡単に行うことができる。特に本実施形態においては、階段前面側から後側の縦割り半柱体３１１、上側心材３２および下側心材３３を固定した後、階段前面側から前側の縦割り半柱体３１１を固定するという階段前面側からのみの作業（一方向の作業）で組み付けることができるため、作業者の負担を軽減できて、より一層組付作業を効率良く簡単に行うことができる。
【００８７】
中間用親柱４およびスタート用手摺子５においても同様に、心材４２，５２を一対の縦割り半柱体４１１，５１１によって挟み込んで組み立てるものであるため、心材４２，５２を柱本体４１，５１の所定位置に正確かつ簡単に組み込むことができ、組付作業を効率良く簡単に行うことができる。さらにスタート用手摺子５は、上記スタート用親柱３と同様、階段前面側からの一方向の作業で組み付けることができるため上記と同様、より一層組付作業を効率良く簡単に行うことができる。
【００８８】
特にスタート用親柱３およびスタート用手摺子５においては、心材３２，５２のベース板３４，５４における前部にビス孔３４１，５４１を形成しているため、心材３２，５２に後側の縦割り半柱体３１１，５１１を仮組した状態で、ビス孔３４１，５４１にビス３５，５５を通して設置面に固定することができる。このため、縦割り半柱体３１１，５１１の位置合わせ等を簡単かつ正確に行うことができ、より一層組付作業を効率良く行うことができる。
【００８９】
また本実施形態のスタート用親柱３においては、上側心材３２を柱本体３１（縦割り半柱体３１１）に対しスライド自在にかつ任意のスライド位置に固定可能に構成しているため、スタート用親柱３の高さを自在に調整することができる。このためスタート用親柱３の高さを中間用手摺子６の高さに合わせて的確に設定することができ、手摺本体２をスタート用親柱３に無理なく確実に固定することができる。
【００９０】
ここでスタート用親柱３は、上記中間用手摺子６とは構成や、固定手段、固定位置等が異なるため、隣合う中間用手摺子６間の間隔と、スタート用親柱３および中間用手摺子６間の間隔とが異なる場合がある。このためスタート用親柱３の長さ寸法（高さ寸法）を一定に設定しておくと、スタート用親柱３の高さを中間用手摺子６の高さに対応させることが困難になって手摺本体２を確実に組み付けることができないという不具合が発生するおそれがある。そこで本実施形態では既述した通り、中間用手摺子６の高さに合わせてスタート用親柱３の高さを調整できるという構成を採用することによって、上記の不具合を有効に防止できて、手摺組付作業をより効率良くスムーズに行うことができる。
【００９１】
また上記実施形態のスタート用親柱３においては、一対の縦割り半柱体３１１，３１１が同一の形状に形成されているため、部品の共通化を図ることができて、コストを削減することができる。さらに各縦割り半柱体３１１は、前後いずれにも用いることができるため、組付時に前後の縦割り半柱体を取り違えて組み付ける等の不具合も確実に防止でき、作業者の負担をより軽減できて、より一層組付作業性を向上させることができる。
【００９２】
さらに中間用親柱４およびスタート用手摺子５においても、一対の縦割り半柱体４１１，５１１が同一の形状に形成されているため、上記と同様にコストの削減および組付作業性の向上をなお一層図ることができる。
【００９３】
なお上記実施形態においては、柱本体を一対（２本）の縦割り半柱体によって構成するようにしているが、それだけに限られず、本発明においては柱本体を周方向に分割可能な２つ以上の複数の縦割り柱片によって構成するようにしれば良い。この場合には、心材の外周を複数の縦割り柱片によって取り囲んだ状態に固定することになる。
【００９４】
また柱本体を複数の柱片によって構成する場合、各柱片は必ずしも周方向に均等に分割されたものでなくとも良く、周方向の長さが異なる複数の柱片によって構成するようにしても良い。例えば柱本体の後側の半周を一つの半柱体によって構成するとともに、前側の半周を周方向に分割された複数の柱片によって構成するようにしても良い。
【００９５】
さらに各柱片は、必ずしも一体物（一本物）で構成する必要はなく、周方向または／および軸方向に分割可能な複数の部材によって構成するようにしても良い。
【００９６】
もっとも組付作業性等を考慮すると、柱本体は３分割以下の縦割り柱片によって構成するのが好ましく、より好ましくは上記実施形態のように一対の縦割り半柱体等の２分割の縦割り柱片によって構成するのが良い。
【００９７】
また本発明においては、支持部材として、柱本体に上側心材だけを設けて下側心材を設けない支持部材や、柱本体に下側心材だけを設けて上側心材を設けない支持部材を採用することも可能である。例えば上側心材だけの支持部材を採用する場合には、階段の蹴込板にその裏面側から挿通したビスを柱本体の下側にねじ込んで固定したり、柱本体の下部を床面等の設置面にビス止めして固定するようにすれば良い。さらに下側心材だけの支持部材を採用する場合には、柱本体の上側に手摺本体の裏面（下面）をビス止めしたり、柱本体の上部側面に手摺本体の側面をビス止めして固定するようにすれば良い。
【００９８】
また上記実施形態においては、スタート用親柱３を階段下端の手摺端部、中間用親柱４を階段上端の手摺接続部、スタート用手摺子５を階段途中の手摺端部、中間用手摺子６を手摺中間部にそれぞれ配置するようにしているが、本発明においては、親柱３，４および手摺子５，６等の支持部材の取付位置（配置位置）は特に限定されるものではなく、どの位置に取り付けるようにしても良い。
【００９９】
参考までに階段用手摺の支持部材において、手摺本体や設置面に対する取付強度だけを向上させるのであれば、柱本体を複数の縦割り柱片等の複数の分割体によって構成する必要はない。例えば一体物の柱本体にその軸心に沿って孔を形成しておき、その孔に心材を挿入して固定するようにすれば良い。この場合においても上記実施形態と同様に、柱本体の上側部のみに上側心材を組み付けたり、柱本体の下側部のみに下側心材を組み付けたり、柱本体の上側部および下側部に上側心材および下側心材を組み付けたり、柱本体の上方から下方にかけて連続する１本の心材を組み付けたりするようにしても良い。
【０１００】
具体的な構成としては「階段の開放側面において手摺本体を支持する階段用手摺の支持部材であって、設置面に立設される柱本体と、前記柱本体に軸心に沿って配置される心材とを備え、前記心材の上端部が前記柱本体の上端面よりも上方に配置されて前記手摺本体に固定可能に構成されるとともに、前記心材の下端に設けられたベース板が前記柱本体の下端面よりも下方に配置されて前記設置面に固定可能に構成されていることを特徴とする階段用手摺の支持部材」を例示することができる。
【産業上の利用可能性】
【０１０１】
この発明の階段用手摺の支持部材は、例えば一般住宅等の屋内に組み付けられるオープン階段に適用することができる。
【符号の説明】
【０１０２】
１：手摺
２：手摺本体
３：スタート用親柱（支持部材）
３１：柱本体
３１１：縦割り半柱体（縦割り柱片）
３２：上側心材
３３：下側心材
３３２：長孔（段鼻対応ビス孔）
３４：ベース板
３４１：ビス孔（設置面対応ビス孔）
４：中間用親柱（支持部材）
４１：柱本体
４１１：縦割り半柱体（縦割り柱片）
４２：心材
４４：ベース板
４４１：ビス孔（設置面対応ビス孔）
５：スタート用手摺子（支持部材）
５１：柱本体
５１１：縦割り半柱体（縦割り柱片）
５４：ベース板
５４１：ビス孔（設置面対応ビス孔）
５５：ビス
９：段板
【図１】
0006636257.tif 000002
【図２】
0006636257.tif 000003
【図３】
0006636257.tif 000004
【図４Ａ】
0006636257.tif 000005
【図４Ｂ】
0006636257.tif 000006
【図４Ｃ】
0006636257.tif 000007
【図５】
0006636257.tif 000008
【図６】
0006636257.tif 000009
【図７Ａ】
0006636257.tif 000010
【図７Ｂ】
0006636257.tif 000011
【図７Ｃ】
0006636257.tif 000012
【図８】
0006636257.tif 000013
【図９】
0006636257.tif 000014
【図１０Ａ】
0006636257.tif 000015
【図１０Ｂ】
0006636257.tif 000016
【図１０Ｃ】
0006636257.tif 000017